(57)【要約】【課題】プラズマディスプレイ装置を提供すること。【解決手段】  プラズマディスプレイパネル１１と、プラズマディスプレイパネルを駆動する駆動回路部１３と、プラズマディスプレイパネルに設けられた電極と駆動回路部とを電気的に連結する電気的信号伝達配線と、電気的信号伝達配線の端子とプラズマディスプレイパネルの電極端子との間に配され、電気的信号伝達配線の端子とプラズマディスプレイパネルの電極端子を電気的に接続させるフィルム状接着部材とを備え、フィルム状接着部材は、導電性粒子を含む異方性導電性フィルム層を含み、異方性導電性フィルム層のプラズマディスプレイパネル中心方向の終端と、プラズマディスプレイパネル周縁方向の終端に、絶縁ダミー３６を含むことを特徴とする。【選択図】図４
2007094412.tif 000002
【特許請求の範囲】
【請求項１】
プラズマディスプレイパネルと；
前記プラズマディスプレイパネルを駆動する駆動回路部と；
前記プラズマディスプレイパネルに設けられた電極と前記駆動回路部とを電気的に連結する電気的信号伝達配線と；
前記電気的信号伝達配線の端子と前記プラズマディスプレイパネルの電極端子との間に配され、前記電気的信号伝達配線の端子と前記プラズマディスプレイパネルの電極端子を電気的に接続させるフィルム状接着部材と；
を備え、
前記フィルム状接着部材は、導電性粒子を含む異方性導電性フィルム層を含み、前記異方性導電性フィルム層の前記プラズマディスプレイパネル中心方向の終端と、前記プラズマディスプレイパネル周縁方向の終端に、絶縁ダミーを含むことを特徴とする、プラズマディスプレイ装置。
【請求項２】
前記絶縁ダミーは高密着性絶縁高分子材料で形成されたことを特徴とする、請求項１に記載のプラズマディスプレイ装置。
【請求項３】
前記高密着性絶縁高分子材料は、エポキシ樹脂、アクリル樹脂、及びアクリレート樹脂からなる群より選択されることを特徴とする、請求項２に記載のプラズマディスプレイ装置。
【請求項４】
前記導電性粒子は金属粒子又は高分子粒子であることを特徴とする、請求項１に記載のプラズマディスプレイ装置。
【請求項５】
前記導電性粒子は、Ａｕ及びＰｄからなる群より選択される金属がコーティングされたＮｉ、Ｃｕ、Ａｕ、Ａｇ、及びこれらの合金からなる群より選択される金属粒子であることを特徴とする、請求項４に記載のプラズマディスプレイ装置。
【請求項６】
前記導電性粒子は、Ａｕ及びＰｄからなる群より選択される金属がコーティングされたポリスチレン高分子粒子であることを特徴とする、請求項４に記載のプラズマディスプレイ装置。
【請求項７】
前記異方性導電性フィルム層は、エポキシ樹脂、アクリル樹脂、及びアクリレート樹脂からなる群より選択されるものを含むことを特徴とする、請求項１に記載のプラズマディスプレイ装置。
【請求項８】
前記導電性粒子は、前記異方性導電性フィルム層の厚さ方向を基準に真ん中に位置することを特徴とする、請求項１に記載のプラズマディスプレイ装置。
【請求項９】
プラズマディスプレイパネルと；
前記プラズマディスプレイパネルを駆動するための駆動回路部と；
前記プラズマディスプレイパネルに設けられた電極と前記駆動回路部とを電気的に電気的信号伝達配線と；
前記電気的信号伝達配線の端子と前記プラズマディスプレイパネルの電極端子との間に配され、前記電気的信号伝達配線の端子と前記プラズマディスプレイパネルの電極端子を電気的に接続させるフィルム状接着部材と；
を備え、
前記フィルム状接着部材は、導電性粒子を含む異方性導電性フィルム層と、この異方性導電性フィルム層の厚さ方向を基準に、両側に絶縁層が位置することを特徴とする、プラズマディスプレイ装置。
【請求項１０】
前記導電性粒子は金属粒子又は高分子粒子であることを特徴とする、請求項９に記載のプラズマディスプレイ装置。
【請求項１１】
前記導電性粒子は、Ａｕ及びＰｄからなる群より選択される金属がコーティングされたＮｉ、Ｃｕ、Ａｕ、Ａｇ、及びこれらの合金からなる群より選択される金属粒子であることを特徴とする、請求項１０に記載のプラズマディスプレイ装置。
【請求項１２】
前記導電性粒子は、Ａｕ及びＰｄからなる群より選択される金属がコーティングされたポリスチレン高分子粒子であることを特徴とする、請求項１０に記載のプラズマディスプレイ装置。
【請求項１３】
前記異方性導電性フィルム層は、エポキシ樹脂、アクリル樹脂、及びアクリレート樹脂からなる群より選択されるものを含む、請求項９に記載のプラズマディスプレイ装置。
【請求項１４】
前記異方性導電性フィルム層の前記プラズマディスプレイパネル中心方向の終端と前記プラズマディスプレイパネル周縁方向の終端に、絶縁ダミーをさらに含むことを特徴とする、請求項９に記載のプラズマディスプレイ装置。
【発明の詳細な説明】
【技術分野】
【０００１】
本発明は、プラズマディスプレイ装置に関する。
【背景技術】
【０００２】
プラズマディスプレイ装置は、プラズマディスプレイパネル内部にプラズマ放電構造を備えて、気体放電によって生成されたプラズマを利用して画像を表示する装置である。このようなプラズマディスプレイ装置において、プラズマディスプレイパネルの電極（例：アドレス電極）は、通常、フレキシブル印刷回路（Flexible  Printed  Circuit：以下、ＦＰＣと称する）を通して駆動回路と電気的に連結される。該ＦＰＣには、上記プラズマディスプレイパネルの画素に対応する領域に選択的に壁電圧を構成するように、駆動回路で制御される信号に応じて電圧を印加するドライバーＩＣ（integrated  Circuit）が設けられる。
【０００３】
このようにＦＰＣとドライバーＩＣを利用した電圧印加構造として幅広く使用されてきたものとしては、ＦＰＣを構成するフィルム上にドライバーＩＣが直接実装されたチップオンフィルム（Chip  on  Film、以下、ＣＯＦと称する）が代表的である。近日は、基本的にＣＯＦのＩＣ実装構造と同一でありながらも、小型で低価であるテープキャリアパッケージ（Tape  Carrier  Package、以下、ＴＣＰと称する）が使用される傾向にある。
【０００４】
上記ＦＰＣ又はＴＣＰは、上記金属電極端子部に異方性導電性フィルム（Anisotropic  Conductive  Film、ＡＣＦ）によって電気的に結合され、上記異方性導電性フィルムは、一般的に、金属粒子の導電性金属粒子がある導電性樹脂フィルムである。
【０００５】
上記異方性導電性フィルムによる詳細な連結構造は、図１に示した構造のプラズマディスプレイパネル３０の電極端子部３２に、図２に示したように異方性導電性フィルム３４を付着させた後、この上にＦＰＣの端子を置いて上記プラズマディスプレイパネルの電極とＦＰＣの端子部を圧縮する。かかる構成により、上記異方性導電性フィルムの導電性樹脂上に分散されたボールタイプの導電性金属粒子が、上記プラズマディスプレイパネルの電極とＦＰＣの端子に接触しながら電気的に接続されるようになる。
【０００６】
この時、上記異方性導電性フィルムを付着させる工程は、電極端子部に図２に示したように、パネルに連結されている端子開始部位と、ＦＰＣに連結される端子端部とは覆われないようにする。これは、圧着工程時、異方性導電性フィルムの体積が膨張することによって、この導電性フィルムに含まれている導電性金属粒子が互いに固まって連結されてはならないプラズマディスプレイ電極のＦＰＣの端子を互いに連結し、短絡を誘発してしまう問題点を解決するためである。
【０００７】
しかし、依然として圧着工程で、異方性導電性フィルムを構成する導電性樹脂の外部流出により、端子の開始端と終端で発生し得る導電性金属粒子が固まり、短絡現象の問題を完全に解決するには難しいという問題点がある。また、圧着工程で、電極の部分でないギャップの部分に導電性金属粒子が過剰存在（導電性金属粒子が、一般的に電極部に３０％、電極の部分でないギャップの部分に７０％存在）するという問題により、導電性金属粒子を使用することによる端子間の電子移動が円滑でないという問題点があった。
【０００８】
また、上記構造を有するプラズマディスプレイ装置において、アドレス電極は主に銀で構成されるが、端子間異物の存在、異方性導電性フィルムの低い密着特性によるエアポケット（air  pocket）、空間（void）、孔隙の生成、圧着時に異方性導電性フィルムの異方性高分子内で発生する微細気孔などが主原因となって、電極間導電経路の発生による短絡（short）現象、電極の付置力強化によるオープン現象が現れるなど、マイグレーション（migration）が発生するという問題がある。
【０００９】
このような問題を解決するために、導電性金属粒子の代わりに、ポリマー樹脂を金でコーティングした導電金属粒子を使用したり、導電性金属粒子に絶縁膜を形成、超高精細の適用及び安定性増大のために、粒子サイズの減少などが対策として提示されており、これに関する研究が活発に行われている。
【発明の開示】
【発明が解決しようとする課題】
【００１０】
しかし、このような従来の方法は、耐電圧（降参電圧）の低下、費用増大、熱暴走特性などが生じるため、画期的な代案が切実に要求されている。
【００１１】
そこで、本発明は、上記問題に鑑みてなされたものであり、本発明の目的は、高密着性絶縁が可能であるように連結構造を構成することが可能な、新規かつ改良されたプラズマディスプレイ装置を提供することにある。
【課題を解決するための手段】
【００１２】
上記課題を解決するために、本発明のある観点によれば、プラズマディスプレイパネルと、プラズマディスプレイパネルを駆動する駆動回路部と、プラズマディスプレイパネルに設けられた電極と駆動回路部とを電気的に連結する電気的信号伝達配線と、電気的信号伝達配線の端子とプラズマディスプレイパネルの電極端子との間に配され、電気的信号伝達配線の端子とプラズマディスプレイパネルの電極端子を電気的に接続させるフィルム状接着部材とを備え、フィルム状接着部材は、導電性粒子を含む異方性導電性フィルム層を含み、異方性導電性フィルム層のプラズマディスプレイパネル中心方向の終端と、プラズマディスプレイパネル周縁方向の終端に、絶縁ダミーを含むことを特徴とする、プラズマディスプレイ装置が提供される。
【００１３】
絶縁ダミーは高密着性絶縁高分子材料で形成されるようにしてもよい。
【００１４】
高密着性絶縁高分子材料は、エポキシ樹脂、アクリル樹脂、及びアクリレート樹脂からなる群より選択されるようにしてもよい。
【００１５】
導電性粒子は金属粒子又は高分子粒子であってもよい。
【００１６】
導電性粒子は、Ａｕ及びＰｄからなる群より選択される金属がコーティングされたＮｉ、Ｃｕ、Ａｕ、Ａｇ、及びこれらの合金からなる群より選択される金属粒子であってもよい。
【００１７】
導電性粒子は、Ａｕ及びＰｄからなる群より選択される金属がコーティングされたポリスチレン高分子粒子であってもよい。
【００１８】
異方性導電性フィルム層は、エポキシ樹脂、アクリル樹脂、及びアクリレート樹脂からなる群より選択されるものを含むようにしてもよい。
【００１９】
導電性粒子は、異方性導電性フィルム層の厚さ方向を基準に真ん中に位置するようにしてもよい。
【００２０】
また、上記課題を解決するために、本発明の別の観点によれば、プラズマディスプレイパネルと、プラズマディスプレイパネルを駆動するための駆動回路部と、プラズマディスプレイパネルに設けられた電極と駆動回路部とを電気的に電気的信号伝達配線と、電気的信号伝達配線の端子とプラズマディスプレイパネルの電極端子との間に配され、電気的信号伝達配線の端子とプラズマディスプレイパネルの電極端子を電気的に接続させるフィルム状接着部材とを備え、フィルム状接着部材は、導電性粒子を含む異方性導電性フィルム層と、この異方性導電性フィルム層の厚さ方向を基準に、両側に絶縁層が位置することを特徴とする、プラズマディスプレイ装置が提供される。
【００２１】
導電性粒子は金属粒子又は高分子粒子であってもよい。
【００２２】
導電性粒子は、Ａｕ及びＰｄからなる群より選択される金属がコーティングされたＮｉ、Ｃｕ、Ａｕ、Ａｇ、及びこれらの合金からなる群より選択される金属粒子であってもよい。
【００２３】
導電性粒子は、Ａｕ及びＰｄからなる群より選択される金属がコーティングされたポリスチレン高分子粒子であってもよい。
【００２４】
異方性導電性フィルム層は、エポキシ樹脂、アクリル樹脂、及びアクリレート樹脂からなる群より選択されるようにしてもよい。
【００２５】
異方性導電性フィルム層のプラズマディスプレイパネル中心方向の終端とプラズマディスプレイパネル周縁方向の終端に、絶縁ダミーをさらに含むようにしてもよい。
【発明の効果】
【００２６】
以上説明したように本発明によれば、高密着性絶縁が可能であるように連結構造を構成することができる。
【発明を実施するための最良の形態】
【００２７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２８】
本発明は、プラズマディスプレイ装置で、金属バス電極及びアドレス電極とＦＰＣやＴＣＰなどのような電気的信号伝達配線を接続する異方性導電性フィルム（ＡＣＦ）のようなフィルム状接着部材に関するものであって、電極と電気的信号伝達配線とを連結する工程で、圧着工程中にフィルム状接着部材に含まれている導電性粒子が固まったり、導電性粒子が電極部以外の部分に過剰存在することによって非理想的な電導経路が形成され、電子伝達が容易でなく、また、短絡が発生し得るという問題を解決することができるフィルム状接着部材に関するものである。
【００２９】
本発明のプラズマディスプレイ装置は、プラズマディスプレイパネル、上記プラズマディスプレイパネルを駆動するための駆動回路部、上記プラズマディスプレイパネルから引き出される電極と上記駆動回路部とを電気的に連結する電気的信号伝達配線、及び上記電気的信号伝達配線の端子と上記プラズマディスプレイパネルの電極端子との間に介されて、上記両端子を電気的に接続させるフィルム状接着部材を含む。
【００３０】
（第一実施形態）
まず、本発明の第１実施形態にかかるプラズマディスプレイ装置について説明する。本実施形態におけるフィルム状接着部材は、導電性粒子を含む異方性導電性フィルムを含み、この異方性導電性フィルムの上記プラズマディスプレイパネル中心方向の終端と上記プラズマディスプレイパネル周縁方向の終端に絶縁ダミーを含む。つまり、図２に示した従来のフィルム状接着部材が電極に付着された構造で、図３に示したように、プラズマディスプレイパネル中心方向の終端と上記プラズマディスプレイパネル周縁方向の終端に絶縁ダミー３６ｂ、３６ａを含む。
【００３１】
上記絶縁ダミー３６ｂ、３６ａとは、電気的導電現象には関連のない絶縁性ダミー層（insulated  dummy  layer）を言う。この絶縁ダミーの存在により、圧着工程時に発生する、フィルム状接着部材を構成する異方性フィルムを構成する高分子樹脂が外部に流出して、端子開始の部分と端部で発生し得る導電ボールの固まる現象による短絡を予め防止することができる。
【００３２】
上記絶縁ダミーは高密着性絶縁高分子層であって、この高密着性絶縁高分子には、密着性に優れており、耐湿性に優れた高分子で形成されるのが好ましく、このような高分子としては、エポキシ樹脂、アクリル樹脂又はアクリレート樹脂を使用することができる。
【００３３】
また、上記フィルム状接着部材の中央部分は、導電性粒子を含む異方性フィルム層で構成されている。上記導電性粒子には、ニッケル、銅又は銀の金属に、金又はパラジウムがコーティングされている金属粒子、又は高分子樹脂に金又はパラジウムがコーティングされている高分子粒子を用いることができ、導電性粒子は全て実質的に球形であってもよい。上記高分子樹脂としては、ポリスチレン、ポリアセンチレン、ポリメチルメタクリレート、ポリメチルエタクリレート又はポリチオフェンを使用することができる。
【００３４】
また、上記異方性導電性フィルム層は、エポキシ樹脂、アクリル樹脂又はアクリレート樹脂などを使用することができる。
【００３５】
（第２実施形態）
次に、本発明の第２実施形態にかかるプラズマディスプレイ装置について説明する。本実施形態におけるフィルム状接着部材は、異方性導電性フィルム層と上記異方性導電性フィルム層の厚さ方向を基準に、真ん中に位置する導電性粒子を含む。
【００３６】
上記異方性導電性フィルム３６は、図４に示したように、導電性粒子２０ｃが散布された異方性導電性フィルム部２０ａを、プラズマディスプレイパネル１１の駆動電極１２と電気的信号伝達配線１０の端子１０ｃとの間に置き、これを圧着して連結すれば、導電性粒子２０ｃが駆動電極１２と電気的信号伝達配線の端子１０ｃとの間に位置し、上記駆動電極１２の間の空間２２と端子１０ｃとの間の空間２４には、上記導電性粒子２０ｃが存在しない構造を有する。
【００３７】
このような構造を有する本発明のフィルム状接着部３６材が、絶縁ダミーを有する本発明の第１実施例によるフィルム状接着部材に比べて、導電ボールの固まる現象による問題点をより効果的に解決できるので好ましい。
【００３８】
（第３実施形態）
次に、本発明の第３実施形態にかかるプラズマディスプレイ装置について説明する。本実施形態におけるフィルム状接着部材は、上記第１及び第２実施形態を全て有するものであって、絶縁性ダミー層と異方性導電性フィルム層の厚さ方向を基準に、真ん中に導電性粒子が位置するようにすることによって、フィルム状接着部材の密着特性が低くて発生するエアポケット、起泡などの問題と、導電性粒子が固まる現象を最も効果的に制御できる。
【００３９】
以下、本実施形態におけるフィルム状接着部材を含むプラズマディスプレイ装置を、図面を参照して詳細に説明する。
【００４０】
図５は、本実施形態にかかるプラズマディスプレイ装置のパネル−回路間連結部を概略的に示した図である。
【００４１】
上記プラズマディスプレイパネル（以下、“ＰＤＰ”という）は、前面基板１１ａと背面基板１１ｂの周縁に駆動電極１２が引き出しされ（図面では、上記ＰＤＰ１１の背面基板１１ｂの周縁に引き出されるアドレス電極を示している）、この駆動電極１２が、上記電気的信号伝達配線１０、一例として、ＦＰＣを通して駆動回路部１３と電気的に連結されることによって、駆動回路部１３から駆動に必要な信号の伝達を受けるようになる。もちろん、上記ＰＤＰ１１の前面基板１１ａ側に引き出される駆動電極、一例として、表示電極もまた、当該電気的信号伝達配線１０を通して、それと相応する駆動回路部１３と電気的に連結される。
【００４２】
上記駆動回路部１３は、印刷回路基板上に回路素子が装着されて構成され、シャーシベース１４においてＰＤＰ１１が付着される面の反対側の面に装着される。本実施形態で、上記電気的信号伝達配線は公知の構成のＦＰＣを用いることができるが、本発明がこれに限定されるものではなく、ＴＣＰのようなドライバーＩＣパッケージも同様に適用されることができる。
【００４３】
図５を参照すれば、ＰＤＰ１１から引き出される駆動電極１２がアドレス電極であり、このような駆動電極１２が駆動回路部１３に連結される際、その間にはドライバーＩＣ１０ｂが介され、このようなドライバーＩＣ１０ｂは、電気的信号伝達配線１０と共にドライバーＩＣパッケージを構成する。
【００４４】
上記電気的信号伝達配線１０のＦＰＣ１０ａ上にはドライバーＩＣ１０ｂが設置され、さらに、上記ＦＰＣ１０ａには、上記駆動電極１２と電気的に連結される端子１０ｃが露出される領域である第１連結部１０ｄと、駆動回路部１３と電気的に連結される端子１０ｅが露出される領域の第２連結部１０ｆとが形成される。
【００４５】
ここで、上記第１連結部１０ｄは、フィルム状接着部材２０を隔てて上記駆動電極１２と電気的に結合され、上記第２連結部１０ｆには、雄雌結合方式のコネクタ１９を通じて駆動回路部１３に電気的に接続される。
【００４６】
以上説明した通り、本実施形態にかかるフィルム状接着部材を利用したプラズマディスプレイ装置によれば、プラズマディスプレイパネルの電極とＦＰＣの連結構造を改善することによって、上記パネル電極とＦＰＣの配線連結端子との間で短絡が発生する弊害を防止することができる。
【００４７】
すなわち、本実施形態にかかるプラズマディスプレイ装置は、プラズマディスプレイパネルの電極とＴＣＦなどの電気的信号伝達配線を接続させるフィルム状接着部材を、電極と電気的信号伝達配線に接触される両端部に絶縁ダミーを形成させて、電極と電気的信号伝達配線の密着性を向上させたり、又はフィルム状接着部材で、導電性粒子が真ん中にのみ位置するようにして、導電性粒子が固まる現象による短絡問題を防止することができる。
【００４８】
以下、本発明の実施例及び比較例を記載する。しかし、下記の実施例は本発明の好ましい一実施例に過ぎず、本発明が下記の実施例に限定されるわけではない。
【００４９】
（実施例１）
フィルム状接着部材の中央の部分が、ニッケルに金がコーティングされている導電性粒子を含む異方性フィルム層で構成されたこのフィルム状接着部材の中央部分を構成する、図２に示した構造のプラズマディスプレイ装置を製造した。
【００５０】
上記実施例１のプラズマディスプレイ装置を、６０℃、９０％相対湿度の状態でＤＣ７０Ｖを９６時間印加した後、マイグレーション程度を調べるために、アドレス電極の表面写真を測定して、その結果を図６Ａに示した。また、従来市販されているプラズマディスプレイ装置の３種類を比較例１〜３にして、表面写真を測定し、その結果を図６Ｂ〜図６Ｄに各々示した。
【００５１】
図６Ａ〜図６Ｄは電極の色を示す写真であって、電極と電極との間には、異方性導電性フィルム層である樹脂層が存在している。図６Ａを見れば、電極に腐蝕が発生しなかったために電極表面が白色を維持している反面、図６Ｂ〜図６Ｄを見れば、電極の一部が茶色を示して、腐蝕が発生したことが分かり、特に、図６Ｃ及び図６Ｄの場合、腐蝕によるデントライトが発生したことが分かる。つまり、実施例１のプラズマディスプレイ装置はマイグレーションが発生しなかったが、比較例１〜３は全てマイグレーションが発生したことが分かる。
【００５２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００５３】
【図１】プラズマディスプレイパネル装置での金属電極を概略的に示した平面図である。
【図２】金属電極に、従来の異方性導電性フィルムを付着させた状態を示す平面図である。
【図３】金属電極に、本発明の第１実施例の絶縁ダミーを含む異方性導電性フィルムを付着させた状態を示す平面図である。
【図４】金属電極に、本発明の第２実施例の異方性導電性フィルムが付着される工程を示す工程図である。
【図５】本実施形態にかかるプラズマディスプレイ装置の構成を概略的に示した平面構成図である。
【図６Ａ】実施例１にかかるプラズマディスプレイ装置のアドレス電極の表面写真である。
【図６Ｂ】比較例１にかかるプラズマディスプレイ装置のアドレス電極の表面写真である。
【図６Ｃ】比較例２にかかるプラズマディスプレイ装置のアドレス電極の表面写真である。
【図６Ｄ】比較例３にかかるプラズマディスプレイ装置のアドレス電極の表面写真である。
【符号の説明】
【００５４】
１０  電気的信号伝達配線
１０ａ  ＦＰＣ
１０ｂ  ドライバーＩＣ
１０ｃ  電気的信号伝達配線の端子
１０ｄ  第１連結部
１０ｅ  端子
１０ｆ  第２連結部
１１、３０  プラズマディスプレイパネル
１１ａ  前面基板
１１ｂ  背面基板
１２  駆動電極
１３  駆動回路部
１４  シャーシベース
１９  コネクタ
２０ｃ  導電性粒子
３２  電極端子部
３４、３６  異方性導電性フィルム
３６ｂ、３６ａ  絶縁ダミー
【図１】
2007094412.tif 000003
【図２】
2007094412.tif 000004
【図３】
2007094412.tif 000005
【図４】
2007094412.tif 000006
【図５】
2007094412.tif 000007
【図６Ａ】
2007094412.tif 000008
【図６Ｂ】
2007094412.tif 000009
【図６Ｃ】
2007094412.tif 000010
【図６Ｄ】
2007094412.tif 000011